(57)【要約】【課題】灯具本体や灯具本体を覆う透過カバーが長尺矩形状である場合に、透過カバーの全面にわたって均一な配光を行うことができる照明器具を提供する。【解決手段】器具本体２０には発光素子３２および発光素子３２を覆うレンズ部材３６が取り付けられ、器具本体２０の前方は透過カバー４０で覆われる。そして、レンズ部材３６のレンズ３６１の表面を楕円形状に形成したので、器具本体２０や透過カバー４０が長尺矩形状である場合でも、長尺方向に配光でき、透過カバー４０の全面にわたって均一な配光を行うことができる。【選択図】図１
2014225413.tif 000002
【特許請求の範囲】
【請求項１】
器具本体と、
前記器具本体に支持される発光素子と、
前記発光素子を覆うレンズ部材と、
前記器具本体に支持される透光性の透過カバーとを有し、
前記レンズ部材のレンズの表面が楕円である照明器具。
【請求項２】
請求項１に記載の照明器具において、
前記器具本体に支持されるとともに前記発光素子が取り付けられる台座を有し、
前記台座の側面と前記透過カバーの裏面との間に空隙が設けられている照明器具。
【請求項３】
請求項１または請求項２に記載の照明器具において、
前記レンズは、頭頂部の厚み寸法と、前記頭頂部以外の箇所の厚み寸法とが異なる照明器具。
【発明の詳細な説明】
【技術分野】
【０００１】
本発明は、ＬＥＤを光源とする照明器具に関するものである。
【背景技術】
【０００２】
従来、ＬＥＤを光源として天井面や壁面等に取り付けられる照明器具が知られている（例えば、特許文献１参照）。
図４に示すように、特許文献１に記載の照明器具１００は、所謂埋込型の照明器具であって、高さ方向中央に取付板１０１を有する。取付板１０１は、放熱性を有する、例えばアルミ等の金属材料から略円柱板状に形成されている。
取付板１０１の下側には、ＬＥＤを有する光源ブロック（図示省略）を収容する略円柱形状の灯具本体１０２が取り付けられている。光源ブロックは、ＬＥＤが実装されたＬＥＤ基板と、ＬＥＤ基板を収納する反射板と、反射板に被着されるレンズ（透明板）とから構成されている。
また、灯具本体１０２の外周面には、複数の固定ばね１０３が取り付けられている。
【０００３】
取付板１０１の上面の後側（図４において右側）半分には、灯具本体１０２のＬＥＤが発する熱を放出するフィン状の放熱ブロック１０４が設けられている。
取付板１０１の上面の前側（図４において左側）半分には、ＬＥＤに点灯電力を供給するための電源ブロック１０５が設けられている。電源ブロック１０５は、略矩形箱型のケース１０６を有する。ケース１０６の前部には、商用電源（図示省略）に接続して受電するためのコネクタブロック１０７が取り付けられている。
【先行技術文献】
【特許文献】
【０００４】
【特許文献１】特開２０１１−２２８０９８号公報（第１図）
【発明の概要】
【発明が解決しようとする課題】
【０００５】
前述したように、従来の照明器具においては、発光素子（ＬＥＤ）に取り付けられるレンズや透過カバーが半球形状であるため、発光素子からの光を容易に全方向にわたって均一に配光できる。
しかしながら、灯具本体や灯具本体を覆う透過カバーが長尺矩形状である場合には、透過カバーの全面にわたって均一な配光を行うことが困難であるという問題があった。
【０００６】
本発明は、従来の問題を解決するためになされたもので、灯具本体や灯具本体を覆う透過カバーが長尺矩形状である場合に、透過カバーの全面にわたって均一な配光を行うことができる照明器具を提供することを目的とする。
【課題を解決するための手段】
【０００７】
本発明の照明器具は、器具本体と、前記器具本体に支持される発光素子と、前記発光素子を覆うレンズ部材と、前記器具本体に支持される透光性の透過カバーとを有し、前記レンズ部材のレンズの表面が楕円であるものである。
【０００８】
また、本発明の照明器具は、前記器具本体に支持されるとともに前記発光素子が取り付けられる台座を有し、前記台座の側面と前記透過カバーの裏面との間に空隙が設けられているものである。
【０００９】
さらに、本発明の照明器具は、前記レンズは、頭頂部の厚み寸法と、前記頭頂部以外の箇所の厚み寸法とが異なるものである。
【発明の効果】
【００１０】
本発明は、器具本体に取り付けられた発光素子を覆うレンズ部材のレンズの表面を楕円形状に形成した。これにより、器具本体や透過カバーが長尺矩形状である場合でも、長尺方向に配光でき、透過カバーの全面にわたって均一な配光を行うことができるという効果を有する照明器具を提供できる。
【図面の簡単な説明】
【００１１】
【図１】本発明に係る実施形態の照明器具を示す分解斜視図
【図２】本発明に係る実施形態の照明器具の断面図
【図３】（Ａ）は光源部の分解斜視図であり、（Ｂ）は配光形状を示す説明図
【図４】従来の照明器具の断面図
【発明を実施するための形態】
【００１２】
以下、本発明に係る実施形態の照明器具について、図面を用いて説明する。
図１および図２に示すように、実施形態の照明器具１０は、被取付部である壁面１１等に取り付けられる器具本体２０と、器具本体２０に支持される光源部３０と、器具本体２０および光源部３０の照射方向を覆う透過カバー４０を有する。
【００１３】
器具本体２０は、長尺の矩形板状部材であり、中央部に台形箱状の台座２１が設けられている。
器具本体２０の上下両端部には、壁面１１に取り付けられる木ねじ部２６が設けられており、木ねじ部２６には、木ねじ用孔２６１が設けられている。また、木ねじ部２６の上下外側には、壁面１１との間に隙間を有する取付部２３が設けられている。取付部２３には、各々カバー用ねじ孔２４が設けられている。
【００１４】
台座２１は、左右一対の側面２１１、上下一対の斜面２１３および上面２１２から台形箱状に形成されている。
台座２１の上面２１２は、壁面１１と平行に設けられている。台座２１の上面２１２には、光源部３０を取り付けるための器具側ねじ孔２２が複数（ここでは、４個）設けられている。
また、台座２１の幅方向寸法は、台座２１の側面２１１と透過カバー４０の側面４４の内面（裏面）４０１との間に空隙が設けられる大きさに設定されている。
なお、台座２１の長さ方向寸法も、台座２１の斜面２１３と透過カバー４０の端面４５との間に空隙が設けられる大きさに設定されている。
【００１５】
図１および図３（Ａ）に示すように、光源部３０は、器具本体２０の台座２１の上面２１２に取り付けられる板状の基板３１を有する。
矩形板状の基板３１の実装面３１１には、外周部に円環状のバンク３１２が設けられており、バンク３１２の内側にＬＥＤチップ（発光素子）３２が実装されている。
バンク３１２の内側は、ＬＥＤチップ３２を覆う封入樹脂３３によって封止されており、いわゆるＣＯＢ（Chip on Board）タイプとなっている。基板３１には、点灯電力を供給する一対のリード線３４が接続されている。
なお、基板３１の実装面３１１には、各リード線３４に所定以上の電流が流れるのを遮断して、ＬＥＤチップ３２を保護する保護素子３５が設けられている。
【００１６】
ＬＥＤチップ３２の上側には、透光性のレンズ部材３６が設けられている。
レンズ部材３６は、全体略円盤形状をしており、中央には、基板３１のＬＥＤチップ３２の照射方向を覆うレンズ部（レンズ）３６１が、上方に突出して設けられている。レンズ部３６１は、表面が楕円形状のレンズである。
なお、レンズ部材３６は、楕円形状のレンズ部３６１の長軸方向が、器具本体２０および透過カバー４０の長尺方向と一致するように配置される。
【００１７】
レンズ部３６１は、頭頂部３６４の肉厚が、頭頂部３６４以外の周囲部３６５の肉厚よりも小さくなっている。
これにより、図３（Ｂ）に示すように、配光形状Ｒが楕円の長軸方向（図３（Ｂ）において左右方向）に長くなる。
レンズ部材３６の外周縁部には、鍔部３６２が設けられている。鍔部３６２には、等間隔で複数個（ここでは、４個）のねじ孔３６３が設けられている。
【００１８】
透過カバー４０は、透光性の樹脂からなる矩形枠状の取付板４１を有しており、取付板４１の上下両端部には、貫通穴４２が設けられている。
なお、透過カバー４０は、透明でもよく、あるいは乳白色といった光を拡散させるものでもよい。また、透過カバー４０に設けられた貫通穴４２は必須ではなく、透過カバー４０を器具本体２０に取付可能であれば構造は不問である。
透過カバー４０は、器具本体２０および台座２１の形状に対応して、中央部４３が略半円筒形状に、前方へ突出している。中央部４３は、左右一対の側面４４と、上下一対の端面４５を有する。
透過カバー４０の中央部４３は、器具本体２０の台座２１に取り付けられた光源部３０の前方を覆う。
【００１９】
次に、照明器具１０の組立て方について説明する。
まず、ＬＥＤチップ３２を実装した基板３１を、台座２１の上面２１２に取り付ける。次いで、照射方向からレンズ部材３６を基板３１に被せて、レンズ部材３６のねじ孔３６３に取付ねじ３７を通して、器具本体２０の台座２１に設けられている器具側ねじ孔２２に締結する。
【００２０】
次いで、器具本体２０の木ねじ部２６の木ねじ用孔２６１に木ねじ（図示省略）を通して、器具本体２０を壁面１１に取り付ける。
そして、透過カバー４０を器具本体２０に被せて、固定ねじ２５を透過カバー４０の貫通穴４２に通して、器具本体２０のカバー用ねじ孔２４に締付ける。
なお、固定ねじ２５を外すことにより、透過カバー４０を容易に取り外すことができる。
【００２１】
照明器具１０の作用効果について説明する。
器具本体２０にはＬＥＤチップ３２およびＬＥＤチップ３２を覆うレンズ部材３６が取り付けられ、器具本体２０の照射方向は透過カバー４０で覆われる。
そして、レンズ部材３６のレンズ部３６１の表面を楕円形状に形成したので、器具本体２０や透過カバー４０が長尺矩形状である場合でも、長尺方向に配光でき、透過カバー４０の全面にわたって均一な配光を行うことができる。
【００２２】
また、照明器具１０では、器具本体２０にＬＥＤチップ３２が取り付けられる台座２１が設けられており、台座２１の側面２１１と透過カバー４０の内面４０１との間に空隙が設けられている。
このため、ＬＥＤチップ３２からの光が、空隙を通って透過カバー４０の側面４４から照射される。
その上、台座２１の側面２１１が反射面となって、台座２１と透過カバー４０との間で反復反射して、するので、全体が均一に発光する。
【００２３】
さらに、照明器具１０は、レンズ部３６１の頭頂部３６４の厚み寸法と、頭頂部３６４以外の周囲部３６５の厚み寸法とを異なるようにした。
このため、頭頂部３６４の厚み寸法小さくし、周囲部３６５の厚み寸法を大きくすることにより、長尺方向に広く配光することができる。
【００２４】
本発明の照明器具は、前述した実施形態に限定されるものでなく、適宜な変形、改良等が可能である。
前述した実施形態では、ＬＥＤチップ３２を実装した基板３１をＬＥＤチップ３２を実装した基板３１を台座２１の上面２１２に取り付けた後、レンズ部材３６を基板３１に被せていたが、例えばＬＥＤチップ３２を実装した基板３１を別部材のホルダ部材に固定した後、ホルダ部材をレンズ部材３６に固定することによりレンズ部材３６に基板３１を取り付ける構造を採用してもよい。
【符号の説明】
【００２５】
１０  照明器具
２０  器具本体
２１  台座
２１１  側面
３２  ＬＥＤチップ（発光素子）
３６  レンズ部材
３６１  レンズ部（レンズ）
３６４  頭頂部
３６５  周囲部（頭頂部以外の箇所）
４０  透過カバー
４０１  裏面
【図１】
2014225413.tif 000003
【図２】
2014225413.tif 000004
【図３】
2014225413.tif 000005
【図４】
2014225413.tif 000006